【手続補正書】
【提出日】平成19年2月19日(2007.2.19)
【手続補正１】
【補正対象書類名】特許請求の範囲
【補正対象項目名】全文
【補正方法】変更
【補正の内容】
【特許請求の範囲】
【請求項１】
撮影手段と、
前記撮影手段によって、基準物体を撮影したガイド画像を入力するガイド画像入力手段と、
前記入力されたガイド画像から、前記基準物体に対する前記ガイド画像の対応関係情報を取得する対応関係情報取得手段と、
前記取得された対応関係情報にもとづいて、コンテンツの表現に関するパラメータを制御するための制御データを生成する表現制御データ生成手段とを備える、コンテンツ表現制御装置。
【請求項２】
前記対応関係情報は、前記基準物体に対する前記ガイド画像の範囲を特定する座標情報を含む、請求項１に記載のコンテンツ表現制御装置。
【請求項３】
前記対応関係情報は、前記基準物体と前記ガイド画像との間で対応するそれぞれの点の座標変換規則情報を含む、請求項１または２記載のコンテンツ表現制御装置。
【請求項４】
前記表現制御データ生成手段は、前記取得された対応関係情報に基づいて、前記撮影手段と前記基準物体との距離に対応する情報を算出する距離対応情報算出手段を含み、該距離対応情報を用いて前記表現制御データを生成する、請求項１〜３のいずれか１項に記載のコンテンツ表現制御装置。
【請求項５】
特定の前記制御データと前記コンテンツの表現に関するパラメータとの対応関係を切り替える対応関係切替手段をさらに備える、請求項１〜４のいずれか１項に記載のコンテンツ表現制御装置。
【請求項６】
前記生成された表現制御データによりコンテンツの見え方に関するパラメータを制御する表示制御手段と、
前記撮影手段の位置に対して相対的に固定され、前記表示制御されたコンテンツを表示するための表示手段をさらに備える、請求項１に記載のコンテンツ表現制御装置。
【請求項７】
前記対応関係情報取得手段の処理対象となるガイド画像に撮影された前記基準物体は、記載された座標情報が指示する点を特定する基準点情報を含むものであり、前記対応関係情報取得手段は該基準点情報を認識することにより前記対応関係情報を取得する、請求項１に記載のコンテンツ表現制御装置。
【請求項８】
前記対応関係情報取得手段の処理対象となるガイド画像に撮影された前記基準物体は、前記ガイド画像から抽出された、２色以上の着色領域のパターンによって符号化された座標情報を含むものであり、前記対応関係情報取得手段は該座標情報を認識することにより前記対応関係情報を取得する、請求項１に記載のコンテンツ表現制御装置。
【請求項９】
前記対応関係情報取得手段の処理対象となるガイド画像に撮影された前記基準物体は、前記基準点情報を背景色以外の第１色、前記座標情報が背景色および第１色を除く第２色を含むパターンでそれぞれコード化されたものであり、前記対応関係情報取得手段は該基準パターンおよび該座標情報を認識することにより前記対応関係情報を取得する、請求項７または８に記載のコンテンツ表現制御装置。
【請求項１０】
前記ガイド画像として電子透かしにより座標データが付与された画像を用いる、請求項１に記載のコンテンツ表現制御装置。
【請求項１１】
前記対応関係情報取得手段は、前記ガイド画像内に含まれる座標情報のうち、処理対象とする座標情報を特定の条件にもとづいて選択する座標情報選択手段をさらに含む、請求項１に記載のコンテンツ表現制御装置。
【請求項１２】
照合用の基準画像データを記憶する基準画像データ記憶手段をさらに備え、
前記対応関係情報取得手段は、前記ガイド画像と基準画像データのそれぞれの特徴を照合することにより、ガイド画像と基準画像中との対応関係情報を取得する、請求項２に記載のコンテンツ表現制御装置。
【請求項１３】
外部の基準物体を撮影して前記照合用基準画像データとして取得するための基準画像取得手段をさらに備える、請求項１２に記載のコンテンツ表現制御装置。
【請求項１４】
前記表現制御データ生成手段または表示制御手段はガイド画像の変化に対するコンテンツの表現に関するパラメータの変化を一部制限する、請求項１または６に記載のコンテンツ表現制御装置。
【請求項１５】
請求項１に記載のコンテンツ表現制御装置のためのコンテンツ表現制御用基準物体であって、
前記ガイド画像に対応する元画像を外部から撮影可能な部位に含み、
前記元画像は、外部から撮影されうる前記ガイド画像のための１つ以上の座標情報を有する、コンテンツ表現制御用基準物体。
【請求項１６】
前記座標情報が指示する点を特定する基準点情報を含む請求項１５に記載のコンテンツ表現制御用基準物体。
【請求項１７】
前記座標情報が複数種類の色彩によって符号化して記録された請求項１５に記載のコンテンツ表現制御用基準物体。
【請求項１８】
前記基準点情報が特定の色彩によって記録された、請求項１６に記載のコンテンツ表現制御用基準物体。
【請求項１９】
請求項６に記載のコンテンツ表現制御装置のためのコンテンツ表現制御用基準物体であって、
前記ガイド画像に対応する元画像を外部から撮影可能な部位に含み、
前記元画像は、外部から撮影されうる前記ガイド画像のための１つ以上の座標情報を有し、
前記表示手段および前記撮影手段の位置関係にもとづくズレを補正する方向に座標情報がシフトして記録される、コンテンツ表現制御用基準物体。
【請求項２０】
撮影ステップと、
前記撮影ステップによってコンテンツの表現制御の基準とする基準物体の一部または全部を撮影して獲得されるガイド画像を入力する、ガイド画像入力ステップと、
前記基準物体に対する前記ガイド画像の対応関係情報を取得する対応関係情報取得ステップと、
前記取得された対応関係情報にもとづいて、コンテンツの表現に関するパラメータを制御するための制御データを生成する表現制御データ生成ステップと、
前記表現制御データ生成ステップにて生成された表現制御データに基づいて、コンテンツを表現するコンテンツ表現ステップとを、コンピュータに実行させるための、コンテンツ表現制御プログラム。
【手続補正２】
【補正対象書類名】明細書
【補正対象項目名】発明の名称
【補正方法】変更
【補正の内容】
【発明の名称】コンテンツ表現制御装置、コンテンツ表現制御用基準物体およびコンテンツ表現制御プログラム
【手続補正３】
【補正対象書類名】明細書
【補正対象項目名】００２２
【補正方法】削除
【補正の内容】
【手続補正４】
【補正対象書類名】明細書
【補正対象項目名】００２３
【補正方法】変更
【補正の内容】
【００２３】
この発明のある局面に従うと、撮影手段と、撮影手段によって、基準物体を撮影したガイド画像を入力するガイド画像入力手段と、入力されたガイド画像から、基準物体に対するガイド画像の対応関係情報を取得する対応関係情報取得手段と、取得された対応関係情報にもとづいて、コンテンツの表現に関するパラメータを制御するための制御データを生成する表現制御データ生成手段とを備える。
【手続補正５】
【補正対象書類名】明細書
【補正対象項目名】００２８
【補正方法】削除
【補正の内容】
【手続補正６】
【補正対象書類名】明細書
【補正対象項目名】００３０
【補正方法】削除
【補正の内容】
【手続補正７】
【補正対象書類名】明細書
【補正対象項目名】００３１
【補正方法】削除
【補正の内容】
【手続補正８】
【補正対象書類名】明細書
【補正対象項目名】００３２
【補正方法】削除
【補正の内容】
【手続補正９】
【補正対象書類名】明細書
【補正対象項目名】００３３
【補正方法】削除
【補正の内容】
【手続補正１０】
【補正対象書類名】明細書
【補正対象項目名】００３４
【補正方法】削除
【補正の内容】
【手続補正１１】
【補正対象書類名】明細書
【補正対象項目名】００４３
【補正方法】削除
【補正の内容】
【手続補正１２】
【補正対象書類名】明細書
【補正対象項目名】００４４
【補正方法】削除
【補正の内容】
【手続補正１３】
【補正対象書類名】明細書
【補正対象項目名】００４５
【補正方法】削除
【補正の内容】
【手続補正１４】
【補正対象書類名】明細書
【補正対象項目名】００４６
【補正方法】削除
【補正の内容】
【手続補正１５】
【補正対象書類名】明細書
【補正対象項目名】００４７
【補正方法】削除
【補正の内容】
【手続補正１６】
【補正対象書類名】明細書
【補正対象項目名】００４８
【補正方法】削除
【補正の内容】
【手続補正１７】
【補正対象書類名】明細書
【補正対象項目名】００４９
【補正方法】削除
【補正の内容】
【手続補正１８】
【補正対象書類名】明細書
【補正対象項目名】００５０
【補正方法】削除
【補正の内容】
【手続補正１９】
【補正対象書類名】明細書
【補正対象項目名】００５１
【補正方法】変更
【補正の内容】
【００５１】
この発明の他の局面に従うと、コンテンツ表現制御装置のためのコンテンツ表現制御用基準物体であって、ガイド画像に対応する元画像を外部から撮影可能な部位に含み、元画像は、外部から撮影されうるガイド画像のための１つ以上の座標情報を有する。コンテンツ表現制御装置は、コンテンツの表現を制御するコンテンツ表現制御装置であって、撮影手段と、撮影手段によって、基準物体を撮影したガイド画像を入力するガイド画像入力手段と、入力されたガイド画像から、基準物体に対するガイド画像の対応関係情報を取得する対応関係情報取得手段と、取得された対応関係情報にもとづいて、コンテンツの表現に関するパラメータを制御するための制御データを生成する表現制御データ生成手段とを備える。
【手続補正２０】
【補正対象書類名】明細書
【補正対象項目名】００５２
【補正方法】削除
【補正の内容】
【手続補正２１】
【補正対象書類名】明細書
【補正対象項目名】００５３
【補正方法】変更
【補正の内容】
【００５３】
この発明のさらに他の局面にしたがうと、コンテンツの表現を制御するコンテンツ表現制御プログラムであって、撮影ステップと、撮影ステップによって、基準物体を撮影したガイド画像を入力するガイド画像入力ステップと、入力されたガイド画像から、基準物体に対するガイド画像の対応関係情報を取得する対応関係情報取得ステップと、取得された対応関係情報にもとづいて、コンテンツの表現に関するパラメータを制御するための制御データを生成する表現制御データ生成ステップと、表現制御データ生成ステップにて生成された表現制御データに基づいて、コンテンツを表現するコンテンツ表現ステップとを備える。
【手続補正２２】
【補正対象書類名】明細書
【補正対象項目名】００８７
【補正方法】変更
【補正の内容】
【００８７】
図１１（ｂ）は座標指示マーカーの左端にある基準パターン５０１を数値の二次元配列によって表現したものである。すなわち黒い部分は０、白い部分は１でそれぞれ表現している。図１１（ａ）はステップＳ０３で２値化されたガイド画像データの各画素を左上から右下へ順に走査し、基準パターン付近を中心として周囲計５×５画素を取得したデータの一例である。